(57)【特許請求の範囲】
【請求項１】
前布片と後布片と紐状の布片とからなる１枚の布片の左右両側縁部同士を縫着することにより、人体の腹部を被覆する前記前布片の下部両端と、人体の臀部を被覆する前記後布片の下部両端とをそれぞれつなぐ前記紐状の布片を残して、股布片と、前記前布片のうち腹部の体型補整に寄与しない下部の布片とを除去した構造のガードルを製造することを特徴とするガードルの製造方法。
【発明の詳細な説明】
【０００１】
【発明の属する技術分野】
本発明は、腹部や臀部の形態を補整することによって女性の体型をすっきりと整えるガードルの製造方法に関する。
【０００２】
【従来の技術】
従来より、腹部や臀部の形態を補整し又は造形することによって女性の体型をすっきりと整える機能性パンツ、例えばガードルが提供されている。
【０００３】
このガードルは、腹部と臀部（以下、ヒップともいう）の全体を締めつけるようにして体型を整えるものであり、図６に示すように、基本的に、人体の腹部を被覆する前布片５１と、人体の臀部を被覆する後布片５２と、これら前布片５１と後布片５２とをつなぐ股布片５３とからなっている。そして、特に腹部については、ガードル本体の内側又は外側に、当布５４を密着させて縫着しているものが一般的である。
【０００４】
このようなガードルは、通常、ショーツの上に重ねて着用することから、圧迫感が強く、また嵩張るため、この圧迫感や嵩張り感を嫌う人も多い。特に、股下部分は、この嵩張り感が最も感じられる部分でもある。
【０００５】
【発明が解決しようとする課題】
一方、体型補整としてのガードルの機能を考えると、体型を補整するためには、少なくとも腹部とヒップとに伸縮性のある布片が密着すればよく、股下部分から下腹部にかけて、つまり、下に着用するショーツと重なる部分については、体型補整に寄与しない部分である。
【０００６】
しかしながら、従来のガードルにおいても、全体として下着としての形を整えることが当然のように考えられており、その結果、体型補整には本来不要である股下部分から下腹部にかけての布片も必要となっていた。また、このような不要な布片を用いているために、上記したように股下部分の嵩張り感や圧迫感を増長しているといった問題があった。
【０００７】
本発明は係る問題点を解決すべく創案されたもので、その目的は、体型補整用として必要最小限の布片のみを残し、下に着用するショーツと重なる不要な部分の布片を除去することにより、圧迫感が少なく、嵩張り感も少ない、着用性に優れたガードルの製造方法を提供することにある。
【０００８】
【課題を解決するための手段】
本発明に係るガードルの製造方法は、前布片と後布片と紐状の布片とからなる１枚の布片の左右両側縁部同士を縫着することにより、人体の腹部を被覆する前記前布片の下部両端と、人体の臀部を被覆する前記後布片の下部両端とをそれぞれつなぐ前記紐状の布片を残して、股布片と、前記前布片のうち腹部の体型補整に寄与しない下部の布片とを除去した構造のガードルを製造することを特徴としている。
【０００９】
このような特徴を有する本発明によれば、下腹部から股下部分にかけての布片、すなわち、下に着用するショーツと重なる部分の布片を除去し、ガードルとして機能する部分のみを残しているので、着用したときに、股下部分に圧迫感や嵩張り感の少ない、着用性に優れたガードルの製造方法を提供することができる。
【００１０】
以下、本発明の実施の形態について、図面を参照して説明する。
【００１１】
［実施の形態１］
図１は、本発明の製造方法によって製造されたガードルの実施の形態１を示す全体構成図である。
【００１２】
すなわち、本実施の形態１のガードルは、形状的には、人体の腹部を被覆する前布片１の下部両端と、人体の臀部を被覆する後布片２の下部両端とをそれぞれつなぐ紐状の布片３ａ，３ｂを残して、股布片（図中、斜線を付して示す部分）４と、前布片１のうち腹部の体型補整に寄与しない下部の布片（図中、斜線を付して示す部分）１ａとを除去した形状となっている。すなわち、下に着用するショーツと重なる部分の布片を除去し、ガードルとして機能する部分のみを残した形状となっている。そのため、着用したときに、体型補整に寄与しない下腹部や股下部分に圧迫感や嵩張り感が少なく、着用性に優れている。
【００１３】
このような形状のガードルは、実際に縫製する段階では、図２に示すような１枚の布片１０からなっており、この布片１０の左右両側縁部１０ａ，１０ｂ同士を縫着することにより、この縫着部分が、図１に示す臀部の中央部の縦縫着ライン２ａとなる。
【００１４】
すなわち、縫製段階の布片１０には、図１に示すような前布片１、後布片２、紐状の布片３ａ，３ｂといった明確な区別があるわけではなく、説明の都合上、図１では１枚の布片１０の各部を機能的に分けて示しただけである。
【００１５】
なお、本実施の形態１では、図１に示す形状のガードルを、図２に示す１枚の布片１０の左右両側縁部１０ａ，１０ｂ同士を縫着することで作製しているが、このような１枚布から縫着するものに限定されるものではない。例えば、前布片と、後布片と、足を通す部分である環状の布片の３部材で構成し、それぞれの部材の合わせ部分を縫着して図１に示す形状のガードルを作製してもよい。あるいは、前布片と足を通す部分となる前側の紐状布片とを一体に形成し、後布片と足を通す部分となる後側の紐状布片とを一体に形成した２部材で構成し、これら２部材のそれぞれの合わせ部分を縫着して図１に示す形状のガードルを作製してもよい。
【００１６】
また、各布片の素材としては、伸縮性の有る布地が用いられるが、ガードルとしての機能を高めるために、腹部や臀部の要所に体型補整用の別の布片をさらにあてがって縫着する等、種々の加工を施してもよいことは当然である。
【００１７】
［実施の形態２］
図３は、本発明の製造方法によって製造されたガードルの実施の形態２を示す全体構成図である。
【００１８】
すなわち、本実施の形態２のガードルは、図１に示す形状のガードルにおいて、さらに、後布片２の中央部の布片も除去した形状となっている。つまり、後布片２の中央部に開口部２１が形成されている。この開口部２１は、具体的には、ヒップトップの高さ位置を中心として円形状や楕円形状（ただし、これらの形状に限るものではない）に形成されている。この部分の布片は、ピップアップには直接寄与しない部分であり、逆にこの部分の布片を除去して開口部２１を設けることで、開口部２１周辺の布片全体が開口部２１を収縮させるように作用し、結果的にヒップアップに寄与することになる。つまり、下に着用したショーツと重なる後布片２の中央部の布片を除去しても、体型補整としてのヒップアップ効果には影響がない。
【００１９】
このような形状のガードルは、実際に縫製する段階では、図４に示すような１枚の布片２０からなっており、この布片２０の左右両側縁部２０ａ，２０ｂ同士を縫着する。具体的には、左側の上部縁部２０ａ１と右側の上部縁部２０ｂ１同士を縫着し、左側の下部縁部２０ａ２と右側の下部縁部２０ｂ２同士を縫着する。このような縫着部分が、図１に示す後布片２の開口部２１の上部縦縫着ライン２ａ１及び下部縦縫着ライン２ａ２となる。
【００２０】
なお、本実施の形態２では、図３に示す形状のガードルを、図４に示す１枚の布片２０の左右両側縁部２０ａ，２０ｂ同士を縫着することで作製しているが、このような１枚布から縫着するものに限定されるものでないことは、上記実施の形態１の場合と同様である。
【００２１】
また、上記実施の形態２では、図４に示す１枚の布片２０の左側の上部縁部２０ａ１と右側の上部縁部２０ｂ１同士を縫着する構成としているが、図５に示すように、この部分にホック２２ａ，２２ｂを設けておき、着用時にホック２２ａ，２２ｂを後ろの腰部分で留めるようにしてもよい。すなわち、着用時には、まず左右の紐状の布片３ａ，３ｂの部分に足を通して付け根部分まで引き上げた後、前布片１を腹部にあてがうようにして、後布片２の左側の上部縁部２０ａ１と右側の上部縁部２０ｂ１に設けられたホック２２ａ，２２ｂを腰部分で留めるようにして着用する。このように、腰部分でホック２２ａ，２２ｂを最後に装着することで、より着用し易い構造とすることができる。
【００２２】
【発明の効果】
本発明に係るガードルの製造方法によれば、下腹部から股下部分にかけての布片、すなわち、下に着用するショーツと重なる部分の布片を除去し、ガードルとして機能する部分のみを残しているので、着用したときに、股下部分に圧迫感や嵩張り感の少ない、着用性に優れた機能性パンツを提供することができる。
【図面の簡単な説明】
【図１】  本発明の製造方法によって製造されたガードルの実施の形態１を示す全体構成図である。
【図２】  実施の形態１のガードルを実際に縫製する段階の布片の展開図を示す説明図である。
【図３】  本発明の製造方法によって製造されたガードルの実施の形態２を示す全体構成図である。
【図４】  実施の形態２のガードルを実際に縫製する段階の布片の展開図を示す説明図である。
【図５】  実施の形態２のガードルの他の構成例を示す説明図である。
【図６】  従来のガードルの構成を示す斜視図である。
【符号の説明】
１  前布片
２  後布片
３ａ，３ｂ  紐状の布片
２１  開口部
２２ａ，２２ｂ  ホック
【図１】
0004004848.tif 000002
【図２】
0004004848.tif 000003
【図３】
0004004848.tif 000004
【図４】
0004004848.tif 000005
【図５】
0004004848.tif 000006
【図６】
0004004848.tif 000007